(57)【要約】      （修正有）【課題】長期にわたって良好な電子伝導性を維持できる集電プレートを備えた燃料電池を提供する。【解決手段】複数の電極・電解質一体化物が平面的に配置されて構成された燃料電池、または複数の電極・電解質一体化物が平面的に配置された電極・電解質一体化物ユニットが複数積層された燃料電池であって、燃料電池内の隣り合う電極・電解質一体化物同士を電気的に接続するための集電プレート５、６が、良導性金属を有する金属製の基材５１と、該基材を被覆する耐食性導電材料層５２とで構成されており、正極集電プレートおよび負極集電プレートの少なくとも一方は、前記基材が、電極・電解質一体化物ユニットの電極面と平行または略平行な２層により構成されており、前記２層のうち、電極側の層５１ａは耐食性の金属で構成され、他方の層５１ｂは良導性金属で構成されている。【選択図】図５
2009187729.tif 000002
【特許請求の範囲】
【請求項１】
酸素を還元する正極、燃料を酸化する負極、および前記正極と前記負極との間に配置された固体電解質膜を有する電極・電解質一体化物を複数備え、それぞれの同一極が同じ向きになるように前記複数の電極・電解質一体化物が平面的に配置されており、前記複数の電極・電解質一体化物の負極側に配置された負極集電プレート、および正極側に配置された正極集電プレートによって、隣り合う電極・電解質一体化物同士が電気的に直列に接続している燃料電池であって、
前記負極集電プレートおよび前記正極集電プレートは、良導性金属を有する金属製の基材と、該基材を被覆する耐食性導電材料層とで構成されており、かつ
前記負極集電プレートおよび前記正極集電プレートの少なくとも一方は、その金属製の基材が、電極・電解質一体化物の電極面と平行または略平行な２層により構成されており、前記２層のうち、電極側の層は耐食性の金属で構成され、他方の層は前記良導性金属で構成されていることを特徴とする燃料電池。
【請求項２】
酸素を還元する正極、燃料を酸化する負極、および前記正極と前記負極との間に配置された固体電解質膜を有する電極・電解質一体化物を複数備え、それぞれの同一極が同じ向きになるように前記複数の電極・電解質一体化物が平面的に配置された電極・電解質一体化物ユニットが複数積層されており、前記複数の電極・電解質一体化物ユニットのそれぞれの負極側に配置された負極集電プレート、および前記複数の電極・電解質一体化物ユニットのそれぞれの正極側に配置された正極集電プレートによって、前記電極・電解質一体化物ユニット内の隣り合う電極・電解質一体化物同士、および前記複数の電極・電解質一体化ユニットの積層により前記積層方向に隣り合う電極・電解質一体化物同士が電気的に直列に接続している燃料電池であって、
前記負極集電プレートおよび前記正極集電プレートは、良導性金属を有する金属製の基材と、該基材を被覆する耐食性導電材料層とで構成されており、かつ
前記負極集電プレートおよび前記正極集電プレートの少なくとも一方は、その金属製の基材が、電極・電解質一体化物ユニットの電極面と平行または略平行な２層により構成されており、前記２層のうち、電極側の層は耐食性の金属で構成され、電極とは反対側の層は前記良導性金属で構成されていることを特徴とする燃料電池。
【請求項３】
少なくとも正極集電プレートの金属製の基材が、電極面と平行または略平行な２層により構成されており、前記２層のうち、電極側の層は耐食性の金属で構成され、電極とは反対側の層は前記良導性金属で構成されている請求項１または２に記載の燃料電池。
【請求項４】
負極集電プレートの金属製の基材および正極集電プレートの金属製の基材が、電極面と平行または略平行な２層により構成されており、前記２層のうち、電極側の層は耐食性の金属で構成され、電極とは反対側の層は前記良導性金属で構成されている請求項１〜３のいずれかに記載の燃料電池。
【請求項５】
前記耐食性導電材料層が、Ａｕ、Ｐｔ、Ｐｄおよびそれらの元素を主体とする合金よりなる群から選択される少なくとも１種の金属により構成されている請求項１〜４のいずれかに記載の燃料電池。
【請求項６】
前記耐食性導電材料層が、カーボンと熱硬化性樹脂との混合物により構成されている請求項１〜４のいずれかに記載の燃料電池。
【請求項７】
前記金属製の基材における電極側の層が、ステンレス鋼、ＴｉおよびＴｉを主体とする合金よりなる群から選択される少なくとも１種の金属により構成されている請求項１〜６のいずれかに記載の燃料電池。
【請求項８】
前記金属製の基材における電極とは反対側の層が、Ｎｉ、Ｃｕおよびそれらの元素を主体とする合金よりなる群から選択される少なくとも１種の金属により構成されている請求項１〜７のいずれかに記載の燃料電池。
【発明の詳細な説明】
【技術分野】
【０００１】
本発明は、複数の電極・電解質一体化物を平面的に配置した構成部分を有する燃料電池に関するものである。
【背景技術】
【０００２】
近年、パソコン、携帯電話などのコードレス機器の普及に伴い、その電源である電池に対して、更なる小型化、高容量化が要望されている。現在、リチウムイオン二次電池は、エネルギー密度が高く、小型軽量化を図り得る電池として実用化されており、ポータブル電源としての需要が増大している。しかし、このリチウムイオン二次電池は、一部のコードレス機器に対して、十分な連続使用時間を保証することができないという問題がある。
【０００３】
前記問題の解決に向けて、例えば固体高分子型燃料電池（ＰＥＦＣ）などの燃料電池の開発が進められている。燃料電池は、燃料および酸素の供給を行なえば、連続的に使用することが可能である。そして、電解質に固体高分子電解質、正極活物質に空気中の酸素、負極活物質に燃料を用いるＰＥＦＣは、リチウムイオン二次電池よりもエネルギー密度が高い電池として注目されている。
【０００４】
しかし、従来の燃料電池では、複数の単電池（単セル）を積層して構成しているため、電池全体が嵩高くなってしまう。また、酸素を正極へ、燃料を負極へ、それぞれ流通させて供給しなければならず、そのための補器が必要となる。これらのことから、燃料電池はリチウムイオン電池などの小型二次電池に比べてはるかに大きくなってしまい、小型ポータブル電源として用いるには問題があった。
【０００５】
一方、複数の単セルを平面的に並べ、更に大気の拡散を利用して空気極（正極）への空気の供給を行う構成の平面型燃料電池であれば、ブロアなどの補器による強制的な空気の供給を行わずに済み、電池全体のコンパクト化を図ることができる。
【０００６】
ところで、前記のように単セルを複数備えた燃料電池において、各単セルにより発生した電気は、各単セルを電気的に接続する集電プレート（正極集電プレートおよび負極集電プレート）を通じて燃料電池外部に取り出すことが通常行われている。
【０００７】
例えば、燃料電池が、単セルを積層した構成である場合には、集電プレートにおける各単セル間の電子の流れは集電プレートの厚み方向に生じるが、前記のように、単セルを平面的に並べた構成の燃料電池の場合には、集電プレートにおける各単セル間の電子の流れは、その面方向に生じる。そのため、単セルを平面的に並べた構成の燃料電池においては、集電プレートにおける電子伝導性を高めるには、その厚みを大きくする必要があるが、その結果、燃料電池のコンパクト化が阻害されてしまう。
【０００８】
よって、単セルを平面的に並べた構成の燃料電池において、集電プレートの厚みを小さくしつつ、良好な電子伝導性を確保するには、集電プレートを、電子伝導性の高いＡｕ、Ｐｔ、Ｃｕ、Ｎｉなどを含む金属により構成することが好ましい。しかしながら、Ａｕ、Ｐｔなどの貴金属により集電プレートを構成すると、燃料電池の材料コストが増大し、その生産性が損なわれてしまう。一方、燃料電池の集電プレートには高い耐食性が要求されるため、ＣｕやＮｉなどで構成した集電プレートは使用できない。
【０００９】
前記のような集電プレートの電子伝導性に関する問題を解決する技術として、例えば、特許文献１には、単セル同士の電気的接続を、ＣｕにＡｕメッキを施した構成のものにより行った燃料電池が提案されている。
【００１０】
【特許文献１】特表２００５−５２７９４４号公報
【発明の開示】
【発明が解決しようとする課題】
【００１１】
しかしながら、特許文献１に記載の技術によっても、燃料電池を長期にわたって使用する場合には、Ｃｕの腐食を抑制することが困難であり、特に電極に接する面の腐食が顕著に生じて、燃料電池の寿命が損なわれてしまう。その理由は明らかではないが、ＡｕメッキのピンホールからのＣｕの溶出などが原因であると推察され、特に水との接触や酸性雰囲気に曝される電極側の面において、こうした問題が顕著に発生するものと考えられる。
【００１２】
よって、例えば、Ａｕメッキの厚みを極めて大きくすることで、前記のＣｕの腐食を抑制できる可能性も考えられるが、その場合には、やはりＡｕによる燃料電池のコスト増大が避けられない。このようなことから、長期にわたって良好な電子伝導性を維持できる集電プレートを備えることで長寿命とした燃料電池を、コストの増大を抑えつつ提供できる技術の開発が求められる。
【００１３】
本発明は前記事情に鑑みてなされたものであり、その目的は、寿命の長い燃料電池を提供することにある。
【課題を解決するための手段】
【００１４】
前記目的を達成し得た本発明の燃料電池は、酸素を還元する正極、燃料を酸化する負極、および前記正極と前記負極との間に配置された固体電解質膜を有する電極・電解質一体化物を複数備え、それぞれの同一極が同じ向きになるように前記複数の電極・電解質一体化物が平面的に配置されており、前記複数の電極・電解質一体化物の負極側に配置された負極集電プレート、および正極側に配置された正極集電プレートによって、隣り合う電極・電解質一体化物同士が電気的に直列に接続している燃料電池であって、前記負極集電プレートおよび前記正極集電プレートは、良導性金属を有する金属製の基材と、該基材を被覆する耐食性導電材料層とで構成されており、かつ前記負極集電プレートおよび前記正極集電プレートの少なくとも一方は、その金属製の基材が、電極・電解質一体化物の電極面と平行または略平行な２層により構成されており、前記２層のうち、電極側の層は耐食性の金属で構成され、他方の層は前記良導性金属で構成されていることを特徴とするものである。
【００１５】
また、本発明の燃料電池の別の態様は、酸素を還元する正極、燃料を酸化する負極、および前記正極と前記負極との間に配置された固体電解質膜を有する電極・電解質一体化物を複数備え、それぞれの同一極が同じ向きになるように前記複数の電極・電解質一体化物が平面的に配置された電極・電解質一体化物ユニットが複数積層されており、前記複数の電極・電解質一体化物ユニットのそれぞれの負極側に配置された負極集電プレート、および前記複数の電極・電解質一体化物ユニットのそれぞれの正極側に配置された正極集電プレートによって、前記電極・電解質一体化物ユニット内の隣り合う電極・電解質一体化物同士、および前記複数の電極・電解質一体化ユニットの積層により前記積層方向に隣り合う電極・電解質一体化物同士が電気的に直列に接続している燃料電池であって、前記負極集電プレートおよび前記正極集電プレートは、良導性金属を有する金属製の基材と、該基材を被覆する耐食性導電材料層とで構成されており、かつ前記負極集電プレートおよび前記正極集電プレートの少なくとも一方は、その金属製の基材が、前記電極・電解質一体化物ユニットの負極面と平行または略平行な２層により構成されており、前記２層のうち、負極側の層は耐食性の金属で構成され、負極とは反対側の層は前記良導性金属で構成されていることを特徴とするものである。
【発明の効果】
【００１６】
本発明によれば、長寿命の燃料電池を提供できる。
【発明を実施するための最良の形態】
【００１７】
以下、図面を用いつつ本発明の燃料電池の詳細を説明する。図１は、本発明の燃料電池の一例を示す断面模式図である。なお、図１は断面図であるが、各構成要素の理解を容易にするために、一部の構成要素については、断面であることを示す斜線を付していない。
【００１８】
図１の燃料電池では、正極拡散層１３および正極触媒層１４からなる正極と、固体電解質膜１５と、負極拡散層１７および負極触媒層１６からなる負極とが、順次積層されてなる電極・電解質一体化物（ＭＥＡ）１００を３個有しており、これらのＭＥＡが平面的に配置されている。
【００１９】
それぞれのＭＥＡ１００の正極側には、正極集電プレート５、６、正極絶縁プレート３、および正極パネルプレート１が順次配置されている。また、それぞれのＭＥＡ１００の負極側には、負極集電プレート７、８、負極絶縁プレート４、および負極パネルプレート２が順次配置されている。
【００２０】
そして、全てのＭＥＡ１００が、正極パネルプレート１と負極パネルプレート２とに挟持されて一体化している。また、図１では明らかにしていないが、隣り合うＭＥＡ１００同士は、正極集電プレート５、６と負極集電プレート７、８との電気的接続によって、直列に接続されている。
【００２１】
正極集電プレート５、６、正極絶縁プレート３および正極パネルプレート１には、燃料電池外の酸素を空気として正極に導入するための酸素導入孔が複数設けられている。そして、正極集電プレート５、６の酸素導入孔、正極絶縁プレート３の酸素導入孔、および正極パネルプレート１の酸素導入孔により、正極パネルプレート１の外表面からＭＥＡ１００の正極拡散層１３にまで到達する開口部１１が複数形成されており、これら開口部１１から、燃料電池外の酸素（空気）が拡散により正極拡散層１３に供給される構造となっている。
【００２２】
また、図１の燃料電池では、負極集電プレート７、８、負極絶縁プレート４および負極パネルプレート２には、燃料タンク部１０内の燃料を負極に導入するための燃料導入孔が複数設けられている。そして、負極集電プレート７、８の燃料導入孔、負極絶縁プレート４の燃料導入孔、および負極パネルプレート２の燃料導入孔により、負極パネルプレート２の燃料タンク部１０側表面からＭＥＡ１００の負極拡散層１７にまで到達する開口部１２が複数形成されており、これら開口部１２から、燃料タンク部１０内の燃料が負極拡散層１７に供給される構造となっている。
【００２３】
図１の燃料電池では、正極パネルプレート１と負極パネルプレート２（更には燃料タンク部１０）は、間隔を持って配置された固定部により固定されており、前記固定部では、ボルト１８とナット１９による固定がなされている。図１中、９ａおよび９ｂはシールである。
【００２４】
図１では、ＭＥＡ１００を３個平面的に配置した燃料電池を示しているが、ＭＥＡの数は複数、すなわち２以上であればよい。また、平面的に配置するＭＥＡの数は、通常は２０程度までである。
【００２５】
図２に、正極パネルプレート１の平面模式図を示す。正極パネルプレート１には、各ＭＥＡの正極拡散層の位置に合わせて酸素導入孔１１ａが設けられており、該酸素導入孔１１ａは、正極絶縁プレートの酸素導入孔および正極集電プレートの酸素導入孔と共に、前記開口部を形成する。２０、２０ａ、２０ｂ、２０ｃ、２０ｄ、２０ｅは正極パネルプレート１と負極パネルプレートとを固定するためのボルトを通すネジ穴であり、正極パネルプレート１と負極パネルプレートとを固定するための固定部となる。
【００２６】
正極パネルプレート１は、ＭＥＡの抑え込みの際に、たわみの発生を抑制する観点から、金属製であることが好ましい。また、ＭＥＡの抑え込みの際のたわみをより少なくする観点から、正極パネルプレート１を構成する金属は、曲げ試験により求められるヤング率が５００００ＭＰａ以上であることが好ましい。具体的な金属としては、例えば、炭素鋼、合金鋼、ステンレス鋼、超合金、アルミニウム合金、マグネシウム合金、チタン合金、ニッケル合金などが挙げられる。なお、本明細書でいう曲げ試験により求められるヤング率とは、両端を支持した板状の試料の中央部に荷重をかけた特に生じたたわみ量を測定して求められる値である。
【００２７】
また、正極パネルプレート１の厚みは、０．５〜３．５ｍｍであることが好ましい。正極パネルプレート１が薄すぎると、ＭＥＡの抑え込み時のたわみが大きくなって、ＭＥＡの抑え込みの均一性が損なわれることがある。また、正極パネルプレート１が厚すぎると、正極パネルプレート１、正極絶縁プレートおよび正極集電プレートの総厚みが大きくなってしまい、正極への酸素の供給量が低下することがある。
【００２８】
なお、負極パネルプレートには、前記の正極パネルプレートと同じ構成（形状および材質）のものを用いることができる。
【００２９】
図３には、正極集電プレート５、６の平面模式図を示している。図３中、（ａ）の正極集電プレート５は、図１の燃料電池の左端のＭＥＡ１００の正極側に配置するための集電プレート（正極端部集電プレート）であり、燃料電池外部と電気的に接続するための正極集電端子部２１が設けられている。また、図３中、（ｂ）の正極集電プレート６は、図１の燃料電池の中央および右側のＭＥＡ１００の正極側に配置するための集電プレートであり、燃料電池の外周部に相当する位置に正極直列接続タブ２２が設けられている。この正極直列接続タブ２２を、隣に位置するＭＥＡの負極側に配置された負極集電プレートと接触させる（例えば、負極集電プレートに設けられた負極直列接続タブと接触させる）などして電気的に接続することで、各ＭＥＡを直列に接続する。
【００３０】
また、図３の正極集電プレート５、６には、ＭＥＡの正極拡散層の位置に合わせ、かつ正極パネルプレートの酸素導入孔の位置に合わせて酸素導入孔１１ｂが設けられており、該酸素導入孔１１ｂは、正極パネルプレートの酸素導入孔および正極絶縁プレートの酸素導入孔と共に、前記開口部を形成する。更に、図３の正極集電プレート５、６には、正極パネルプレートの固定部（ネジ穴）の位置に合わせて、固定部２０（ネジ穴）が設けられている。
【００３１】
正極集電プレート５における正極集電端子部２１としては、特に制限はないが、例えば、図３に示すように、燃料電池と接続する装置などから引き出された外部端子を接続するための孔などが挙げられる。
【００３２】
正極集電プレート６における正極直列接続タブ２２は、燃料電池の外周部に相当する位置に１つ設けるだけでもよいが、図３に示すように燃料電池の外周部に相当する位置に２つ設けることが好ましい。１つの正極直列接続タブから接続するよりも、２つのタブから接続する方が、集電プレート間の抵抗が低減されるため、電池の出力をより向上させることができる。
【００３３】
正極集電プレート５、６の厚みは０．２〜３．２ｍｍであることが好ましい。正極集電プレート５、６が薄すぎると、その電子抵抗が大きくなって、電池の出力が低下することがある。また、正極集電プレート５、６が厚すぎると、正極パネルプレート、正極絶縁プレートおよび正極集電プレートの総厚みが大きくなってしまい、正極への酸素の供給量が低下することがある。
【００３４】
図４には、負極集電プレート７、８の平面模式図を示している。図４中、（ａ）の負極集電プレート７は、図１の燃料電池の左端のＭＥＡ１００の負極側に配置するための集電プレート（負極端部集電プレート）であり、燃料電池外部と電気的に接続するための負極集電端子部２１が設けられている。また、図４中、（ｂ）の負極集電プレート８は、図１の燃料電池の中央および右側のＭＥＡ１００の負極側に配置するための集電プレートであり、燃料電池の外周部に相当する位置に負極直列接続タブ２２が設けられている。
【００３５】
また、図４の負極集電プレート７、８には、ＭＥＡの負極拡散層の位置に合わせ、かつ負極パネルプレートの燃料導入孔の位置に合わせて燃料導入孔１２ｂが設けられており、該燃料導入孔１２ｂは、負極パネルプレートの燃料導入孔および負極絶縁プレートの燃料導入孔と共に、ＭＥＡの負極拡散層に燃料を供給するための前記開口部を形成する。また、図３の負極集電プレート７、８には、負極パネルプレートの固定部（ネジ穴）の位置に合わせて、固定部２０（ネジ穴）が設けられている。
【００３６】
すなわち、図３および図４から明らかなように、負極集電プレートには、正極集電プレートと同じ形状のものを使用することができる。また、負極集電プレートの厚みは、正極集電プレートと同様に、０．２〜３．２ｍｍであることが好ましい。負極集電プレート７、８が薄すぎると、その電子抵抗が大きくなって、電池の出力が低下することがある。また、負極集電プレート７、８が厚すぎると、負極パネルプレート、負極絶縁プレートおよび負極集電プレートの総厚みが大きくなってしまい、負極への燃料の供給量が低下することがある。
【００３７】
本発明の燃料電池では、負極集電プレートおよび正極集電プレートに、良導性金属を有する金属製の基材と、該基材を被覆する耐食性導電材料層とで構成されたものを使用し、更に、負極集電プレートおよび正極集電プレートの少なくとも一方に、その金属製の基材が、ＭＥＡの電極面と平行または略平行な２層により構成され、かつ前記２層のうち、電極側の層が耐食性の金属で構成されており、他方の層（電極とは反対側の層）が前記良導性金属で構成されているものを使用する。
【００３８】
前記２層構造の基材と耐食性導電材料層とで構成された正極集電プレート５、６の厚み方向の断面の一部を図５に示す。正極集電プレート５、６は、金属製の基材５１と、基材５１を被覆する耐食性導電材料層５２とで構成されている。そして、金属製の基材５１は、ＭＥＡの電極面（正極集電プレートの場合、正極面）と平行または略平行な２層５１ａ、５１ｂにより構成されており、このうち、電極側（正極側）の層５１ａは耐食性の金属で構成され、他方の層５１ｂは良導性金属で構成されている。前記の素材で構成された正極集電プレートを使用することで、隣接するＭＥＡ間の電気的接続を良好にしつつ、正極との接触による正極集電プレートの腐食を抑制して、燃料電池の良好な出力特性の確保と長寿命化とを両立できる。また、前記の素材で構成された正極集電プレートであれば、集電プレート本来の役割を主に担う正極側とは反対の層５１ｂを構成する良導性金属に、安価である一方で耐食性が劣るＣｕなどを使用しても、その腐食を抑制することができるため、燃料電池のコストダウンを図り、その生産性を高めることもできる。
【００３９】
なお、本発明の燃料電池では、正極集電プレートおよび負極集電プレートの一方のみが、図５に示すような前記２層構造の基材と耐食性導電材料層とで構成された集電プレートであってもよく、このような場合でも一定の効果を得ることができるが、正極集電プレートは、負極集電プレートに比べてより高い耐食性が要求されることから、少なくとも正極集電プレートが前記２層構造の基材と耐食性導電材料層とで構成された集電プレートであることが好ましく、正極集電プレートおよび負極集電プレートの両者が、前記２層構造の基材と耐食性導電材料層とで構成された集電プレートであることがより好ましく、この場合には、かかる構成の集電プレートを使用することによる前記の効果がより良好に奏される。
【００４０】
すなわち、負極集電プレートに、良導性金属を有する金属製の基材と、該基材を被覆する耐食性導電材料層とで構成されており、その金属製の基材が、ＭＥＡの電極面と平行または略平行な２層により構成され、かつ前記２層のうち、電極（負極）側の層が耐食性の金属で構成されており、他方の層が前記良導性金属で構成されているものを使用した場合にも、隣接するＭＥＡ間の電気的接続を良好にしつつ、電極との接触による負極集電プレートの腐食を抑制して、燃料電池の良好な出力特性の確保と長寿命化とを両立できる。また、前記の素材で構成された負極集電プレートであれば、集電プレート本来の役割を主に担う正極とは反対側の層を構成する良導性金属に、安価である一方で耐食性が劣るＣｕなどを使用しても、その腐食を抑制することができるため、燃料電池のコストダウンを図り、その生産性を高めることもできる。
【００４１】
なお、正極集電プレートおよび負極集電プレートは、良好な電子伝導性を有し、かつ耐酸性の高い素材で構成することが好ましいため、正極集電プレートまたは負極集電プレートを、前記の２層構造の基材と、該基材を被覆する耐食性導電材料層とで構成されたものを使用しない場合には、良導性金属を有する金属製の基材（例えば良導性金属で構成された単層構造の基材）と、該基材を被覆する耐食性導電材料層とで構成されたものを使用する。例えば、図３に示す負極集電プレートに、かかる構成のプレートを使用してもよい。
【００４２】
正極集電プレートおよび負極集電プレートに係る金属製の基材を被覆する層を構成する耐食性導電材料としては、例えば、Ａｕ、Ｐｔ、Ｐｄおよびそれらの元素を主体とする合金よりなる群から選択される少なくとも１種の金属；カーボンと熱硬化性樹脂との混合物；などが挙げられる。なお、耐食性導電材料が前記合金の場合、合金中のＡｕ、ＰｔまたはＰｄの含有量は、例えば、８０質量％以上であることが好ましい。また、前記合金における合金成分としては、例えば、イリジウムなどが挙げられる（すなわち、合金としては、例えば、Ｐｔ：８０質量％−Ｉｒ：２０質量％の合金などが挙げられる）。更に、耐食性導電材料がカーボンと熱硬化性樹脂との混合物における熱硬化性樹脂としては、例えば、ポリアミドイミドなどが挙げられる。
【００４３】
耐食性導電材料層の厚みは、０．１〜５０μｍであることが好ましく、耐食性導電材料層の厚みをこのようにしつつ、集電プレートの厚みを前記好適値にすることが推奨される。耐食性導電材料層が薄すぎると、耐食性導電材料層を形成することによる集電プレートの腐食抑制効果が小さくなることがある。また、耐食性導電材料層が厚すぎると、良導性金属を有する金属製の基材が薄くなり、耐食性導電材料の選択によっては、電子抵抗が大きくなったり、集電プレートのコストが増大したりすることがある。
【００４４】
また、正極集電プレートおよび負極集電プレートに係る金属製の基材における良導性金属としては、例えば、Ｎｉ、Ｎｉ合金、ＣｕまたはＣｕ合金が挙げられ、これらを１種単独で用いてもよく、２種以上を併用してもよい。なお、Ｎｉ合金やＣｕ合金の場合、合金中のＮｉまたはＣｕの含有量は、例えば、９５質量％以上であることが好ましい。また、Ｎｉ合金やＣｕ合金における合金成分としては、例えば、ベリリウムなどが挙げられる（すなわち、合金としては、Ｃｕ：９８質量％−Ｂｅ：２質量％の合金や、Ｎｉ：９８質量％−Ｂｅ：２質量％の合金などが挙げられる）。負極集電プレートや正極集電プレートが、前記２層構造の基材を有する場合には、電極とは反対側の層を前記例示の良導性金属で構成することができる。
【００４５】
正極集電プレートや負極集電プレートが、前記２層構造の基材を有する場合、電極側の層を構成する耐食性の金属としては、例えば、ステンレス鋼、Ｔｉ、またはＴｉを主体とする合金が挙げられ、これらを１種単独で用いてもよく、２種以上を併用してもよい。なお、前記合金の場合、合金中のＴｉの含有量は、例えば、９０質量％以上であることが好ましい。また、前記合金における合金成分としては、例えば、Ｐｄ、Ｔａなどが挙げられる（すなわち、合金としては、Ｔｉ：９９．８５質量％−Ｐｄ：０．１５質量％の合金や、Ｔｉ：９５質量％−Ｔａ：５質量％の合金などが挙げられる）。
【００４６】
正極集電プレートおよび負極集電プレートに係る良導性金属を有する金属製の基材の厚みは、正極集電プレートおよび負極集電プレートの前記好適厚み、および耐食性導電材料層の前記好適厚みを満足させつつ、設定することが好ましい。
【００４７】
また、正極集電プレートや負極集電プレートが、前記２層構造の基材を有する場合には、前記基材における電極側の層と、他の層との厚みの比率は、電極側の層の厚みを１としたときに、他の層の厚みが０．２〜３であることが好ましい。電極側の層の厚みに対して他の層が薄すぎると、集電プレートの電子抵抗が大きくなる虞があり、電極側の層の厚みに対して他の層が厚すぎると、電極側の層が薄くなって、これを設けることによる集電プレートの腐食抑制効果が小さくなることがある。
【００４８】
図６に、正極絶縁プレート３の模式図を示す。図６中、（ａ）は平面図である。また、（ｂ）は（ａ）のＡ−Ａ線断面図であるが、固定部２０（ネジ穴）の配置を点線で示しており、この配置の理解を容易にするために、断面であることを示す斜線を省略している。正極絶縁プレート３は、金属製の正極パネルプレートと、正極集電プレートとの間に配置され、これらのプレート間を絶縁する役割を担っている。
【００４９】
正極絶縁プレート３には、各ＭＥＡの正極拡散層の位置に合わせ、かつ正極パネルプレートの酸素導入孔および正極集電プレートの酸素導入孔の位置に合わせて酸素導入孔１１ｃが設けられており、該酸素導入孔１１ｃは、正極パネルプレートの酸素導入孔および正極集電プレートの酸素導入孔と共に、前記開口部を形成している。また、正極絶縁プレート３には、正極パネルプレートおよび正極集電プレートの固定部（ネジ穴）の位置に合わせて、固定部２０（ネジ穴）が設けられている。
【００５０】
正極絶縁プレート３には、正極集電プレートを収めるための凹部２３が設けられていることが好ましい。凹部２３によって正極絶縁プレート３と正極集電プレートとを積層したときに段差をなくすことができるため、かかる段差によるガス漏れやＭＥＡの抑え込みの不均一さの発生を抑えることができる。
【００５１】
正極絶縁プレート３の材質は、電子絶縁性のものならば特に制限されないが、例えば、ガラスエポキシ樹脂や、ポリカーボネート樹脂、アクリル樹脂、ポリイミド樹脂、フッ素樹脂［ポリテトラフルオロエチレン（ＰＴＦＥ）など］などのプラスティックが好適である。
【００５２】
正極絶縁プレート３のうち、正極集電プレートが収まる凹部２３の厚みは、０．３〜３．３ｍｍであることが好ましい。凹部２３が薄すぎると、強度の不足による割れなどがおこる虞がある。また、凹部２３が厚すぎると、正極パネルプレート、正極絶縁プレートおよび正極集電プレートの総厚みが大きくなってしまい、正極への酸素の供給量が低下することがある。
【００５３】
なお、負極絶縁プレートには、前記の正極絶縁プレートと同じ構成（形状および材質）のものを用いることができる。
【００５４】
本発明の燃料電池においては、正極パネルプレート、正極絶縁プレートおよび正極集電プレートの総厚みは１ｍｍ以上であることが好ましい。燃料電池の内部抵抗を低くするには、正極パネルプレートと負極パネルプレートとによって、ＭＥＡをある程度の均一性を持って抑え込むことが好ましい。例えば、図１に示すように、正極パネルプレート１と負極パネルプレート２とを、間隔を持った配置された固定部において、ボルト１８とナット１９を用いるなどして固定する場合、正極パネルプレート１、正極絶縁プレート３および正極集電プレート５、６の総厚みが小さすぎると、ＭＥＡ１００の抑え込みの際にこれらのプレートにたわみが生じて、ＭＥＡ１００の抑え込みの均一性が損なわれることがある。
【００５５】
他方、正極パネルプレート１、正極絶縁プレート３および正極集電プレート５、６の総厚みが大きすぎると、開口部１１から正極拡散層１３への酸素の供給量が低下する傾向にあるため、前記総厚みは４ｍｍ以下であることが好ましい。
【００５６】
また、負極パネルプレート２、負極絶縁プレート４および負極集電プレート７、８の総厚みについても、正極パネルプレート１、正極絶縁プレート３および正極集電プレート５、６の総厚みと同様に、ＭＥＡ１００の抑え込みの均一性を高めて電池の内部抵抗を下げる観点から、１ｍｍ以上であることが好ましく、更に、開口部１２から負極拡散層１７への燃料の供給量を高める観点から、４ｍｍ以下であることが好ましい。
【００５７】
図７に、図１の燃料電池に係る燃料タンク部１０の模式図を示す。図７中、（ａ）は平面図である。また、（ｂ）は（ａ）のＡ−Ａ線断面図、（ｃ）は（ａ）のＢ−Ｂ線断面図であるが、これらの断面図では固定部２０（ネジ穴）の配置を点線で示していることから、この配置の理解を容易にするために、断面であることを示す斜線を省略している。
【００５８】
燃料タンク部１０は、燃料をＭＥＡの負極へ供給したり、燃料を保持するために設けられている。燃料タンク部１０には、燃料の供給、排出を行なうため、燃料を供給するための燃料供給口２４と、燃料を排出するための燃料排出口２５が設けられている。また、燃料の供給が各ＭＥＡに均一に行なわれるように、燃料流通ガイド部２６が設けられている。２７は、燃料を保持するためのタンク内部である。図７に示す燃料タンク部１０（図１の燃料電池に係る燃料タンク部１０）は独立のものであるが、例えば、燃料タンク部を負極パネルプレートと一体化した構造にしてもよい。
【００５９】
燃料タンク部１０の材質は、燃料による腐食や形態変化がなければよい。具体的には、例えば、ガラスエポキシ樹脂；ポリカーボネート樹脂、アクリル樹脂、ポリイミド樹脂、フッ素樹脂（ＰＴＦＥなど）のプラスティック；ステンレス鋼、ニッケル、銅、グラファイト、チタンなどの金属；が好適である。
【００６０】
図８に、ＭＥＡ１００の模式図を示す。図８中、（ａ）は平面図であり、（ｂ）は（ａ）の断面図であるが、（ｂ）では各構成要素の理解を容易にするために、断面であることを示す斜線を省略している。
【００６１】
ＭＥＡ１００は、酸素を還元する正極触媒層１４と、水素を酸化する負極触媒層１６とを有しており、更に、正極触媒層１４と負極触媒層１６との間に固体電解質膜１５を備えている。また、正極触媒層１４の固体電解質膜１５側の面の反対面には、正極拡散層１３が積層されており、負極触媒層１６の固体電解質膜１５側の面の反対面には、負極拡散層１７が積層されている。
【００６２】
固体電解質膜１５は、平面視で、電極（正極および負極）よりも大きい面積を有していることが好ましい。これは、電極からはみ出る部分を利用してシールを行なうためである。シールを行われなければ燃料と空気中の酸素とが混合されてしまうため、燃料電池の機能が果たせないことがある。固体電解質膜１５における電極よりも大きくなる部分の幅は、シールを行なうために十分な幅を確保する観点から、１ｍｍ以上であることが好ましい。なお、固体電解質膜１５における電極よりも大きくなる部分の幅をあまり大きくすると、固体電解質膜１５の限られた面積の中でシールを行なう面積の比率が大きくなってしまうため、電極の面積が犠牲になってしまうことから、前記の幅は５ｍｍ以下であることが好ましい。
【００６３】
電極の幅は、３〜３５ｍｍであることが好ましい。これは、前記の固体電解質膜１５の好適な大きさと、後述する固定部間の好適距離との関係から導かれるものである。電極の長さには特に制限はなく、燃料電池に要求される出力に鑑みて設定することが可能である。
【００６４】
また、ＭＥＡ１００は、図９に示すように、複数のＭＥＡ１００で固体電解質膜１５を共有する構造としてもよい。図９の（ａ）は平面図で、（ｂ）は（ａ）の断面図であるが、この（ｂ）においても、各構成要素の理解を容易にするために、断面であることを示す斜線を省略している。
【００６５】
図９中、２８は直列接続タブ接触エリアであり、この部分で正極集電プレートの正極直列接続タブと負極集電プレートの負極直列接続タブとを電気的に接触させ、ＭＥＡユニット内の各ＭＥＡを直列に接続することができる。また図９のＭＥＡ１００には、固定部２０（ネジ穴）も設けられている。
【００６６】
正極拡散層１３および負極拡散層１７は、多孔性の電子伝導性材料などから構成され、例えば、撥水処理を施した多孔質炭素シートなどが用いられる。なお、正極拡散層１３や負極拡散層１７の触媒層側には、更なる撥水性向上および触媒層との接触向上を目的として、フッ素樹脂粒子（ＰＴＦＥ樹脂粒子など）を含む炭素粉末のペーストが塗布されている場合もある。
【００６７】
正極触媒層１４は、正極拡散層１３を介して拡散してきた酸素を還元する機能を有している。正極触媒層１４は、例えば、触媒を担持した炭素粉末（触媒担持炭素粉末）と、プロトン伝導性材料とを含有している。また、必要に応じて、樹脂バインダを更に含有していてもよい。
【００６８】
正極触媒層１４の含有する触媒としては、酸素を還元できるものであれば特に制限はないが、例えば、白金微粒子が挙げられる。また、前記触媒は、鉄、ニッケル、コバルト、錫、ルテニウムおよび金よりなる群から選ばれる少なくとも１種の金属元素と白金との合金で構成される微粒子などであってもよい。
【００６９】
触媒の担体である炭素粉末としては、例えば、ＢＥＴ比表面積が１０〜２０００ｍ２／ｇであり、平均粒子径が２０〜１００ｎｍのカーボンブラックなどが用いられる。炭素粉末への前記触媒の担持は、例えば、コロイド法などで行なうことができる。
【００７０】
前記炭素粉末と前記触媒との含有比率としては、例えば、炭素粉末１００質量部に対して、触媒が５〜４００質量部であることが好ましい。このような含有比率であれば、十分な触媒活性を有する正極触媒層が構成できるからである。また、例えば、炭素粉末上に触媒を析出させる方法（例えば、コロイド法）で触媒担持炭素粉末が作製される場合には、炭素粉末と触媒とが前記の含有比率であれば、触媒の径が大きくなりすぎず、十分な触媒活性が得られるからである。
【００７１】
正極触媒層１４に含まれるプロトン伝導性材料としては、特に制限はないが、例えば、ポリパーフルオロスルホン酸樹脂、スルホン化ポリエーテルスルホン酸樹脂、スルホン化ポリイミド樹脂などのスルホン酸基を有する樹脂を用いることができる。ポリパーフルオロスルホン酸樹脂としては、具体的には、デュポン社製の「ナフィオン（登録商標）」、旭硝子社製の「フレミオン（登録商標）」、旭化成工業社製の「アシプレックス（商品名）」などが挙げられる。
【００７２】
正極触媒層１４におけるプロトン伝導性材料の含有量は、触媒担持炭素粉末１００質量部に対して、２〜２００質量部であることが好ましい。プロトン伝導性材料が前記の量で含有されていれば、正極触媒層において十分なプロトン伝導性が得られ、電気抵抗値が大きくなりすぎず、電池性能の良好な燃料電池を得ることができるからである。
【００７３】
正極触媒層１４に係るバインダとしては、特に制限はないが、例えば、ＰＴＦＥ、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（Ｅ／ＴＦＥ）、ポリビニリデンフルオライド（ＰＶＤＦ）およびポリクロロトリフルオロエチレン（ＰＣＴＦＥ）などのフッ素樹脂や、ポリエチレン、ポリプロピレン、ナイロン、ポリスチレン、ポリエステル、アイオノマー、ブチルゴム、エチレン・酢酸ビニル共重合体、エチレン・エチルアクリレート共重合体およびエチレン・アクリル酸共重合体などの非フッ素樹脂などを用いることができる。
【００７４】
正極触媒層１４におけるバインダの含有量は、触媒担持炭素粉末１００質量部に対して、０．０１〜１００質量部であることが好ましい。バインダが前記の量で含有されていれば、正極触媒層について十分な結着性が得られ、電気抵抗値が大きくなりすぎず、電池性能の良好な燃料電池を得ることができるからである。
【００７５】
負極触媒層１６は、負極拡散層を介して拡散してきた水素やメタノールなどの燃料を酸化する機能を有している。負極触媒層は、例えば、触媒を担持した炭素粉末（触媒担持炭素粉末）と、プロトン伝導性材料とを含有している。必要に応じて、樹脂などのバインダを更に含有していてもよい。
【００７６】
負極触媒層１６に係る触媒は、水素やメタノールなどの燃料を酸化できれば特に制限はなく、例えば、正極触媒層に係る触媒として例示した前記の各触媒を用いることができる。負極触媒層に係る前記炭素粉末、プロトン伝導性材料、およびバインダについても、正極触媒層に係る炭素粉末、プロトン伝導性材料、およびバインダとして例示した前記の各材料を用いることができる。
【００７７】
固体電解質膜１５は、プロトンを輸送可能であり、かつ電子伝導性は示さない材料で構成された膜であれば、特に制限はない。固体電解質膜１５を構成し得る材料としては、例えば、ポリパーフルオロスルホン酸樹脂、具体的には、デュポン社製の「ナフィオン（登録商標）」、旭硝子社製の「フレミオン（登録商標）」、旭化成工業社製の「アシプレックス（商品名）」などが挙げられる。その他、スルホン化ポリエーテルスルホン酸樹脂、スルホン化ポリイミド樹脂、硫酸ドープポリベンズイミダゾールなども、固体電解質膜１５の材料として用いることができる。
【００７８】
図１０に、シール９ａ、９ｂの平面模式図を示す。このシール９ａ、９ｂは、ＭＥＡの上下に配置される。その際、ＭＥＡの電極はシールに設けた孔２９に収まり、固体電解質膜のうち電極部分からはみ出た部分は、シール９ａ、９ｂに挟まれる。このような構成とすることで、燃料と空気中の酸素とを隔離して、燃料電池を良好に機能させることが可能となる。図１０に示すシール９ａ、９ｂには直列接続タブ接触エリア２８が設けられており、この部分で正極集電プレートの正極直列接続タブと負極集電プレートの負極直列接続タブとを電気的に接触させ、各ＭＥＡを直列に接続することができる。また図１０のシール９ａ、９ｂには、固定部２０（ネジ穴）も設けられている。
【００７９】
シールの材質としては、燃料電池分野などにおいてシール材として公知の各種材料、例えば、シリコンゴム、エチレン−プロピレン−ジエンゴム、ＰＴＦＥフィルム、ポリイミドフィルムなどを用いることができる。
【００８０】
ＭＥＡユニット内の全てのＭＥＡを一体化するための正極パネルプレートと負極パネルプレートとの固定は、各ＭＥＡをある程度の均一性を持って抑え込むことができれば、その手段については特に制限はない。例えば、正極パネルプレート、正極絶縁プレート、正極集電プレート、シール、負極集電プレート、負極絶縁プレートおよび負極パネルプレートにおけるＭＥＡの電極部分以外に相当する部分、並びにＭＥＡの固体電解質膜のうち電極部分からはみ出した部分の全体を、接着するなどして固定してもよい。
【００８１】
しかし、ＭＥＡをより抑え込み易いことから、図１に示すように、間隔を持って配置された固定部において、機械的挟持手段により正極パネルプレートと負極パネルプレートとを固定することが好ましい。この場合、固定部における機械的挟持手段としては、例えば、図１に示すボルトとナットとを用いたネジ止めや、リベット止めなどが好ましく採用できる。
【００８２】
また、前記のように、正極パネルプレートと負極パネルプレートとを、間隔を持っては位置された固定部により固定する場合には、ＭＥＡを挟んで隣り合う固定部間のうち、より短い固定部間の距離を１０ｍｍ以上４０ｍｍ以下とすることが好ましい。前記の固定部間が前記のような距離となるように固定部を配置することで、電池特性をより良好にすることができる。
【００８３】
前記の固定部間の距離を、図２を用いて説明すると、固定部２０ａとＭＥＡを挟んで隣り合う固定部としては、２０ｂ、２０ｃ、２０ｄがあるが、このうち、固定部２０ａとの間の距離がより短くなるのは２０ｃである。「ＭＥＡを挟んで隣り合う固定部間のうち、より短い固定部間の距離が１０ｍｍ以上４０ｍｍ以下」とは、固定部２０ａと固定部２０ｃとの間の距離が１０ｍｍ以上４０ｍｍ以下であることを意味している。
【００８４】
前記の固定部間距離が短すぎると、ＭＥＡの電極部分の面積が小さくなってしまい、長すぎると、機械的挟持手段により締め付けたときのパネルプレートのたわみが大きくなってＭＥＡを均一に抑え込むことが困難となり、電池の内部抵抗が高くなったり、相対的に抑えの効いた部分で電流集中が生じて、電極の劣化を引き起こすことがある。前記の固定部間距離は、１５ｍｍ以上であることがより好ましく、また、３０ｍｍ以下であることがより好ましい。
【００８５】
また、ＭＥＡを挟まずに隣り合う固定部間の距離（例えば、図２では、固定部２０ａと固定部２０ｅとの間の距離）も、前記の「ＭＥＡを挟んで隣り合う固定部間のうち、より短い固定部間の距離」と同じ理由から、好ましくは１０ｍｍ以上、より好ましくは１５ｍｍ以上であって、好ましくは４０ｍｍ以下、より好ましくは３０ｍｍ以下である。
【００８６】
本発明の燃料電池では、例えば図１に示す正極側の開口部１１の、平面視における総面積を、平面視における正極の面積で割り、それを百分率で表して示される開口率（Ａ）が、１０％以上６０％以下であることが好ましい。正極側の開口率を前記のようにすることで、正極への酸素の供給とＭＥＡから生じる電流の集電をより良好にすることができる。すなわち、前記開口率（Ａ）が小さすぎると、正極への酸素の供給が低下することがある。また、前記開口率（Ａ）が大きすぎると、ＭＥＡ１００から生じる電流の集電性が低下し、また、燃料がガスの場合には乾燥が促進されてしまうため、電池の出力が低下することがある。前記開口率（Ａ）は、１５％以上であることがより好ましく、また、５０％以下であることがより好ましい。
【００８７】
正極側の開口部１１および負極側の開口部１２は、方形（長方形、正方形など）、円形（真円形、楕円形など）などの各種の形状とすることができる。なお、正極側の開口部１１は、正極側の平面視において、開口部１１に接し、かつ線間の最短距離が最も短くなる平行な２本の線を引いたときに、前記最短距離（Ｂ）が０．２ｍｍ以上３ｍｍ以下であることが好ましい。
【００８８】
図１１に、正極側の開口部１１の１つを拡大した図を示す。図１１の（ａ）は、開口部１１が長方形の場合を示している。開口部１１が長方形の場合、該開口部１１に接する平行な２本の線としては、図中のIとII、およびiとiiの２つを引くことができる。このうち、２線間の最短距離が最も短くなるのは、図中Iの線とIIの線との間であり、このIの線とIIの線との間の最短距離が０．２ｍｍ以上３ｍｍ以下であることが好ましい。
【００８９】
また、図２の（ｂ）は、開口部１１が真円形の場合を示しているが、開口部１１が真円形であれば、該開口部１１に接する平行な２本の線としては、図中のIとIIのように、開口部１１の直径を挟む２本の線を引くことができ、開口部１１のいずれの位置に前記２本の線を引いても、それらの線間の距離は開口部１１の直径と等しくなる。よって、開口部１１が真円形の場合には、Iの線とIIの線との間の最短距離、すなわち開口部１１の直径が０．２ｍｍ以上３ｍｍ以下であることが好ましい。
【００９０】
正極側の開口部における前記２線間の最短距離（Ｂ）を前記のようにすることで、正極への酸素の供給とＭＥＡから生じる電流の集電をより良好にすることができる。すなわち、前記２線間の最短距離（Ｂ）が小さすぎると、燃料電池外の大気の酸素を取り込み難くなることがある。また、前記２線間の最短距離（Ｂ）が大きすぎると、開口部１１が位置する部分での集電が不十分となって、電池の出力が低下することがある。前記２線間の最短距離（Ｂ）は、０．５ｍｍ以上であることがより好ましく、また、２ｍｍ以下であることがより好ましい。
【００９１】
更に、本発明の燃料電池では、正極側の平面視において、開口部１１以外の箇所（すなわち、正極拡散層１３に到達する開口部１１が形成されておらず、正極パネルプレート１などが存在している箇所）における任意の点から、該任意の点に最も近く位置している開口部１１までの最短距離（Ｃ）が、２ｍｍ以下であることが好ましい。前記の最短距離（Ｃ）を前記上限値以下とすることで、ＭＥＡ１００への酸素の供給の均一性をより高めて、電池の出力をより向上させることができる。
【００９２】
すなわち、前記の最短距離（Ｃ）が短すぎると、正極パネルプレート１などの存在によって、正極拡散層１３の上部が開口していない箇所が部分的に大きくなり、当該箇所には燃料電池外の酸素が供給され難くなる。そのため、ＭＥＡ１００に酸素の供給が不十分な箇所が生じて、電池の出力が低下することがある。前記の最短距離（Ｃ）は、１．５ｍｍ以下であることがより好ましい。なお、前記の最短距離（Ｃ）の下限値については特に制限はなく、前記開口率（Ａ）との兼ね合いで適宜決定される。
【００９３】
また、負極側の開口部１２についても、平面視における負極側の開口部１２の総面積を、平面視における負極の面積で割り、それを百分率で表して示される開口率は、負極への燃料の供給を良好にする観点から、１０％以上であることが好ましく、１５％以上であることがより好ましく、また、集電をより良好にしたりＭＥＡ１００の乾燥を抑制する観点から、６０％以下であることが好ましく、５０％以下であることがより好ましい。
【００９４】
更に、負極側の開口部１２においても、負極側の平面視において、開口部１２に接し、かつ線間の最短距離が最も短くなる平行な２本の線を引いたときに、前記最短距離が、負極への燃料の供給を良好にする観点から、０．２ｍｍ以上であることが好ましく、０．５ｍｍ以上であることがより好ましく、また、集電をより良好にする観点から、３ｍｍ以下であることが好ましく、２ｍｍ以下であることがより好ましい。
【００９５】
加えて、ＭＥＡ１００への燃料の供給の均一性をより高める観点から、負極側の平面視において、開口部１２以外の箇所（すなわち、負極拡散層１７に到達する開口部１２が形成されておらず、負極パネルプレート２などが存在している箇所）における任意の点から、該任意の点に最も近く位置している開口部１２までの最短距離が、２ｍｍ以下であることが好ましく、１．５ｍｍ以下であることがより好ましい。
【００９６】
正極側の開口部１１の個々の面積は、燃料電池外の酸素をより良好に取り込む観点から、好ましくは０．１ｍｍ２以上、より好ましくは０．２ｍｍ２以上である。他方、開口部１１の個々の面積が大きすぎると、正極パネルプレート１などの強度が低下することがあるため、その面積は、４０ｍｍ２以下であることが好ましく、３０ｍｍ２以下であることがより好ましい。
【００９７】
なお、負極側の開口部の個々の面積も、燃料をより良好に取り込む観点から、０．１ｍｍ２以上であることが好ましく、０．２ｍｍ２以上であることがより好ましく、また、負極パネルプレート２などの強度低下を抑制する観点から、４０ｍｍ２以下であることが好ましく、３０ｍｍ２以下であることがより好ましい。
【００９８】
これまで、複数のＭＥＡを平面的に配置して構成した燃料電池について説明したが、本発明の燃料電池には、複数のＭＥＡを平面的に配置したＭＥＡユニットを複数積層して構成した燃料電池も含まれる。
【００９９】
図１２に、複数のＭＥＡユニットを積層して構成した燃料電池の一例を模式的に示す。図１２は燃料電池２００の断面図であるが、各構成要素の理解を容易にするため、断面であることを示す斜線は付していない。
【０１００】
図１２中、２０１はＭＥＡユニットで、２つのＭＥＡ１００ａ、１００ｂが平面的に配置されている。そして、燃料電池２００は、ＭＥＡユニット２０１が６組積層されて構成されている。隣接するＭＥＡユニット２０１、２０１同士は、負極同士または正極同士が対向しており、負極同士が対向する箇所では負極セパレータ２０２が隣接するＭＥＡユニット２０１、２０１同士の間に配置され、正極同士が対向する箇所では、正極セパレータ２０３が隣接するＭＥＡユニット２０１、２０１同士の間に配置されている。２０４は燃料電池２００の外装を構成するエンドプレート（パネルプレート）であり、両最外層に位置するＭＥＡユニット２０１のエンドプレート２０４、２０４側にも、負極セパレータ２０２が配置されている。
【０１０１】
ＭＥＡユニット２０１に係るＭＥＡ１００ａ、１００ｂには、複数のＭＥＡを平面的に配置して構成した前記の燃料電池に係るＭＥＡと同様のものが使用できる。
【０１０２】
負極セパレータ２０２には、燃料（水素）を流し、ＭＥＡユニット２０１の負極に燃料を供給するための燃料流路が設けられており、図中の矢印は、燃料流路における燃料（水素）の流れる方向を示している。また、２０５は燃料電池１の内部に燃料（水素）を導入するための燃料入口、２０６は発電に関与しなかった燃料やその他のガスなどの余剰のガスを、燃料電池２００の外部に排出するための燃料出口である。更に、正極セパレータ２０３には、空気を流し、ＭＥＡユニット２０１の正極に空気を供給するための空気流路が設けられている（図示しない）。
【０１０３】
ＭＥＡユニットを複数積層して構成される燃料電池の一例の一部分解図を図１３に示す。図１３に示す燃料電池に係るＭＥＡユニット２０１は、１枚の固体電解質膜に２組の電極（正極および負極）が配置されることで、２つのＭＥＡが平面的に配置された構造をとっている。ＭＥＡユニット２０１の上下には、シール２０７が配置されており、これにより水素および空気の漏れを抑制している。
【０１０４】
隣接する２つのＭＥＡユニットの負極同士の間に配置される負極セパレータ２０２は、負極集電プレート２０２ａ、２０２ｂが、負極絶縁プレート２０２ｃの両面にそれぞれ配置されて構成されている。また、隣接する２つのＭＥＡユニットの正極同士の間に配置される正極セパレータ２０３は、正極集電プレート２０３ａ、２０３ｂが、正極絶縁プレート２０３ｃの両面にそれぞれ配置されて構成されている。
【０１０５】
図１４に、負極セパレータの一例の斜視図を示す。負極セパレータ２０２は、負極集電プレート２０２ａ、２０２ｂが、負極絶縁プレート２０２ｃの両面にそれぞれ配置されて構成されている。２０８はマニホールドまたはガス導入口（空気流路用もしくは燃料流路用のマニホールドまたは空気導入口もしくは水素導入口）であり、２０９は各構成要素を固定するためのボルト穴（固定部）である。
【０１０６】
図１５に、図１４の負極セパレータに係る負極集電プレートの平面図を示す。図１４の負極セパレータ２０２では２種類の負極集電プレート２０２ａ、２０２ｂが使用されている。２１０は、ＭＥＡ同士を電気的に接続するための集電タブであり、燃料電池の外周部に相当する位置に２つ形成されている。また、２１１は燃料供給孔であり、負極セパレータ２０２が重ねられるＭＥＡユニットにおける負極に相当する位置に設けられている。負極絶縁プレートに設けられた燃料流路を通過してきた水素は、燃料供給孔２１１から、ＭＥＡユニットに係るＭＥＡの負極へ供給される。
【０１０７】
そして、負極集電プレート２０２ａ、２０２ｂは、図４に示す負極集電プレート７、８と同様に、良導性金属を有する金属製の基材と、該基材を被覆する耐食性導電材料層とで構成されている。そして、良導性金属を有する金属製の基材は、ＭＥＡユニット（ＭＥＡ）の負極面と平行または略平行な２層により構成されており、このうち、負極側の層は耐食性の金属で構成され、他方の層は良導性金属で構成されている。
【０１０８】
図１６に、図１４の負極セパレータに係る負極絶縁プレートの平面図を示す。負極絶縁プレート２０２ｃには、負極セパレータが重ねられるＭＥＡユニットにおける負極に相当する位置に燃料流路２１２が形成されている。２０８はマニホールドまたはガス導入口（燃料流路用のマニホールドまたは水素導入口）であり、２０９は各構成要素を固定するためのボルト穴（固定部）である。
【０１０９】
負極絶縁プレート２０２ｃは、図６に示す正極絶縁プレートと同様に、ガラスエポキシ樹脂や、ポリカーボネート樹脂、アクリル樹脂、ポリイミド樹脂、フッ素樹脂［ポリテトラフルオロエチレン（ＰＴＦＥ）など］などのプラスティックなどで構成することができる。
【０１１０】
正極セパレータに係る正極集電プレートについては、負極集電プレートと同様の構成とすることができる。ただし、正極集電プレートの材質については、良導性金属を有する金属製の基材と、該基材を被覆する耐食性導電材料層とで構成されており、かつ前記基材が前記の２層構造を有するもの（すなわち、前記負極集電プレートと同じもの）の他、前記基材が前記の２層構造を有しないもの（例えば良導性金属で構成された単層構造のもの）が使用できる。また、正極集電プレートを、前記２層構造の基材と該基材を被覆する耐食性導電材料層とで構成されたものとし、負極集電プレートを、良導性金属を有し、かつ前記２層構造を有しない基材（例えば良導性金属で構成された単層構造の基材）と、該基材を被覆する耐食性導電材料層とで構成されたものとすることもできる。
【０１１１】
また、正極セパレータに係る正極絶縁プレートについては、例えば負極集電プレートとミラー対称形の構造を有するものが使用できる。正極絶縁プレートの材質は、負極絶縁プレートと同様のものが使用できる。
【０１１２】
図１２に示すような、複数のＭＥＡを有するＭＥＡユニットを複数積層して構成した燃料電池において、各ＭＥＡユニットは、ＭＥＡを複数、すなわち２以上有していればよく、通常は２０程度までである。また、ＭＥＡユニットの積層数も、複数、すなわち２組以上であればよく、通常は１００組程度までである。
【０１１３】
複数のＭＥＡユニットを積層して構成した燃料電池における正負極の開口部の好適面積率、好適形状（開口部に接し、かつ線間の最短距離が最も短くなる平行な２本の線を引いたときの最短距離、個々の好適面積）、および好適配置（開口部以外の箇所における任意の点から、該任意の点に最も近く位置している開口部までの最短距離）、並びに固定部の好適配置（固定部間の好適距離）は、前記の、複数のＭＥＡを平面的に配置して構成した燃料電池の場合と同様である。
【０１１４】
なお、これまで本発明の燃料電池を図１〜図１６を用いて説明したが、これらの図面に示したものは本発明の一例に過ぎず、本発明の燃料電池はこれらの図面に示された構造のものに限定される訳ではない。
【０１１５】
以上の通り、本発明の燃料電池は、複数のＭＥＡが平面状に配置されたＭＥＡユニットを有する平面型の燃料電池、または前記ＭＥＡユニットが複数積層された構造の燃料電池における集電プレートについて、最も腐食されやすい電極に接する面に耐食性の金属で構成された層を配置し、腐食されにくい電極に接する面の反対側の面に良導性金属で構成された層を配置した上で、全体の耐食性を確保するために、耐食性導電材料で被覆した構造とすることにより、長寿命であり、かつ低コストで生産性の良好な燃料電池の提供を可能にしている。
【実施例】
【０１１６】
以下、実施例に基づいて本発明を詳細に述べる。ただし、下記実施例は本発明を制限するものではない。
【０１１７】
実施例１
図１に示す構造の燃料電池を作製した。ＭＥＡ１００には、図９に示す構成のものを用いた。ＭＥＡ１００の正極および負極には、カーボンクロス上にＰｔ担持カーボンを塗布した電極（Ｅ−ＴＥＫ社製「ＬＴ１４０Ｅ−Ｗ」、Ｐｔ量：０．５ｍｇ／ｃｍ２）を用いた。また、固体電解質膜１５には、デュポン社製「ナフィオン１１２」を用いた。各電極は２５ｍｍ×９２ｍｍ、固体電解質膜は１０５ｍｍ×１００ｍｍとした。
【０１１８】
正極パネルプレート１には、図２に示す構造で、ステンレス３０４で構成された厚みが２ｍｍのものを用いた。開口部を形成するための酸素導入孔１１ａは、１ｍｍ×１３ｍｍの長方形の孔を、各ＭＥＡの正極拡散層上部に当たる部分全域にわたり、各々上下に６個、左右に１２個、合計７２個配置した。また、酸素導入孔１１ａは、左右に１ｍｍ、上下に２ｍｍの距離を空けて配置している。正極側の開口部の電極面積に対する割合（開口率）は４２％である。固定部２０には、φ３ｍｍの穴を、図２に示すように、ＭＥＡの外周部に相当する位置に設けた。ＭＥＡを挟んで隣り合う固定部間のうち、より短い固定部間の距離は３１ｍｍであり、ＭＥＡを挟まずに隣り合う固定部間の距離は１５ｍｍである。
【０１１９】
また、負極パネルプレート２には、正極パネルプレート１と同じ材質・形状のものを用意した。
【０１２０】
正極集電プレート５、６には、図３の（ａ）（正極端部集電プレート）および（ｂ）（正極集電プレート）に示す構造で、図５に示す断面構造のものを用いた。正極集電プレートの電極側の層（厚み０．２３ｍｍ）はＳＵＳ３０４で、電極の反対側の層（厚み０．０７ｍｍ）はＣｕで構成し、全面を厚み０．２μｍでＡｕを蒸着して被覆した。正極集電プレート５、６の酸素導入孔１１ｂおよび固定部２０の形状・配置は、正極パネルプレートと同様である。また、正極端部集電プレート５には、正極集電端子部２１を設けた。更に、正極集電プレート６には、燃料電池の外周部に相当する位置に、正極直列接続タブ２２を１つ設けた。
【０１２１】
また、負極端部集電プレート７および負極集電プレート８には、正極端部集電プレート５および正極集電プレート６と同じ材質・形状のものを用意した。
【０１２２】
正極絶縁プレート３には、図６示す構造で、ガラスエポキシ樹脂で構成された厚みが０．５ｍｍのものを用いた。正極絶縁プレート３の酸素導入孔１１ｃおよび固定部２０の形状・配置は、正極パネルプレートと同様である。また、負極絶縁プレート４には、正極絶縁プレート３と同じ材質・形状のものを用意した。
【０１２３】
燃料タンク部１０には、図７に示す構造で、ガラスエポキシ樹脂で構成された厚み３ｍｍのものを用いた。中央のタンク内部２７の深さは２ｍｍである。
【０１２４】
シール９ａ、９ｂには、図１０に示す構造で、シリコンゴムで構成された厚み０．２ｍｍのものを用いた。電極を収めるための孔２９のサイズは２６ｍ×９３ｍｍとした。
【０１２５】
以上の各部材を図１に示す順序で積層し、ボルト１８とナット１９を用いて締め込んで、燃料電池を作製した。
【０１２６】
実施例２
正極集電プレート５、６に、Ｎｉに１０μｍのＡｕメッキを施した厚み０．３ｍｍのものを用いた以外は、実施例１と同様にして燃料電池を作製した。
【０１２７】
実施例３
負極集電プレート７、８に、Ｎｉに１０μｍのＡｕメッキを施した厚み０．３ｍｍのものを用いた以外は、実施例１と同様にして燃料電池を作製した。
【０１２８】
比較例１
正極集電プレート５、６および負極集電プレート７、８に、Ｎｉに１０μｍのＡｕメッキを施した厚み０．３ｍｍのものを用いた以外は、実施例１と同様にして燃料電池を作製した。
【０１２９】
比較例２
正極集電プレート５、６に、ＳＵＳ３０４に１０μｍのＡｕメッキを施した厚み０．３ｍｍのものを用いた以外は、実施例１と同様にして燃料電池を作製した。
【０１３０】
実施例１〜２および比較例１〜２の燃料電池に、燃料として水素を燃料供給口２４より供給し、２Ｖの定電圧で発電試験を１日８時間行い、合計１０００時間の運転を行った。これにより、初期および１０００時間後の燃料電池の出力を求めた。試験は室温２５℃で行った。結果を表１に示す。
【０１３１】
【表１】
2009187729.tif 000003
【０１３２】
表１から明らかなように、正極集電プレートおよび負極集電プレートのいずれも、前記２層構造の基材と耐食性導電材料層とで構成された集電プレートとした実施例１の燃料電池では、初期出力が高く１０００時間後においても出力がほとんど低下していない。また、正極集電プレートおよび負極集電プレートのいずれか一方を前記２層構造の基材と耐食性導電材料層とで構成された集電プレートとした実施例２および実施例３の燃料電池では、初期出力が高く、１０００時間後では、出力が多少低下するものの、比較例の燃料電池に比べると高い出力を維持できている。なお、実施例２および実施例３の結果より、集電プレートを前記２層構造の基材と耐食性導電材料層とで構成された集電プレートとする方が、より高い効果が得られることが分かる。
【０１３３】
これに対し、比較例１の燃料電池では、初期出力は実施例１と同等であるものの、１０００時間後の出力が大きく低下している。比較例１の電池では、正極集電プレートおよび負極集電プレートの耐食性が不十分で、長期運転の間にこれら集電プレートの基材のＮｉが溶解により劣化し、そのために出力低下が生じたと推察される。また、比較例２の電池では、初期出力が低い。比較例２の電池では、正極集電プレートの基材が良導性金属を有しておらず、その電子伝導性が不十分なために、抵抗が高くなり出力が低かったものと推察される。
【図面の簡単な説明】
【０１３４】
【図１】本発明の燃料電池の一例を示す断面模式図である。
【図２】本発明の燃料電池に係る正極パネルプレートの一例を示す平面模式図である。
【図３】本発明の燃料電池に係る正極集電プレートの一例を示す平面模式図である。
【図４】本発明の燃料電池に係る負極集電プレートの一例を示す平面模式図である。
【図５】正極集電プレートの一部の断面の模式図である。
【図６】本発明の燃料電池に係る正極絶縁プレートの一例を示す模式図ある。
【図７】本発明の燃料電池に係る燃料タンク部の一例を示す模式図である。
【図８】本発明の燃料電池に係る電極・電解質一体化物の一例を示す模式図である。
【図９】本発明の燃料電池に係る電極・電解質一体化物の他の例を示す模式図である。
【図１０】本発明の燃料電池に係るシールの一例を示す平面模式図である。
【図１１】開口部の形状の説明図である。
【図１２】電極・電解質一体化物ユニットを複数積層して構成した本発明の燃料電池の一例を示す断面模式図である。
【図１３】電極・電解質一体化物ユニットを複数積層して構成した本発明の燃料電池の一例を示す一部分解図である。
【図１４】図１２の燃料電池の負極セパレータを模式的に示す斜視図である。
【図１５】図１４の負極セパレータに係る負極集電プレートを模式的に示す平面図である。
【図１６】図１４の負極セパレータに係る負極絶縁プレートを模式的に示す斜視図である。
【符号の説明】
【０１３５】
１  正極パネルプレート
２  負極パネルプレート
３、２０３ｃ  正極絶縁プレート
４、２０２ｃ  負極絶縁プレート
５、６、２０３ａ、２０３ｂ  正極集電プレート
７、８、２０２ａ、２０２ｂ  負極集電プレート
１００  電極・電解質一体化物
【図１】
2009187729.tif 000004
【図２】
2009187729.tif 000005
【図３】
2009187729.tif 000006
【図４】
2009187729.tif 000007
【図５】
2009187729.tif 000008
【図６】
2009187729.tif 000009
【図７】
2009187729.tif 000010
【図８】
2009187729.tif 000011
【図９】
2009187729.tif 000012
【図１０】
2009187729.tif 000013
【図１１】
2009187729.tif 000014
【図１２】
2009187729.tif 000015
【図１３】
2009187729.tif 000016
【図１４】
2009187729.tif 000017
【図１５】
2009187729.tif 000018
【図１６】
2009187729.tif 000019